(57)【要約】  【課題】  従来より複雑なデザインを利用者に実現させることができる電子機器を提供する。  【解決手段】  本体２０と、互いの重畳の順序を変更可能に着脱自在に本体２０に重ねて取り付けられる外装パネル３０及び外装パネル４０とを備え、外装パネル３０は、絵模様が付加された部分である付加部分３４を有し、外装パネル４０は、絵模様が付加された部分である付加部分４４を有し、外装パネル３０より表層に自身が重ねられたときの外装パネル３０の付加部分３４に重なる少なくとも一部が光透過性を有する。【選択図】  図４
2006191439.tif 000002
【特許請求の範囲】
【請求項１】
本体と、互いの重畳の順序を変更可能に着脱自在に前記本体に重ねて取り付けられる複数枚の外装パネルとを備え、
前記複数枚の外装パネルは、色及び模様の少なくとも一方が付加された部分である付加部分をそれぞれ有した第１の外装パネル及び第２の外装パネルを含み、
前記第２の外装パネルは、前記第１の外装パネルより表層に自身が重ねられたときに前記第１の外装パネルの前記付加部分に重なる少なくとも一部が光透過性を有することによって、前記第１の外装パネルの前記付加部分の少なくとも一部が透過するよう構成したことを特徴とする電子機器。
【請求項２】
前記複数枚の外装パネルのそれぞれは、前記複数枚の外装パネルを前記本体に固定するネジが挿入される貫通孔と、前記複数枚の外装パネルの最表層に自身が重ねられたときに前記ネジの頭が収納される収納溝とが形成されたことを特徴とする請求項２に記載の電子機器。
【発明の詳細な説明】
【技術分野】
【０００１】
本発明は、着脱自在な外装パネルを備えた電子機器に関するものである。
【背景技術】
【０００２】
従来の電子機器として、前面部を装飾する装飾シートを差し替え可能にした携帯電話機が知られている（例えば、特許文献１参照。）。
【０００３】
【特許文献１】登録実用新案第３０５４４１４号公報（第７−９頁、第４図）
【発明の開示】
【発明が解決しようとする課題】
【０００４】
しかしながら、従来の携帯電話機においては、１枚の装飾シートが差し替えられることによってデザインが変更されるようになっているので、デザインが単調であるという問題があった。
【０００５】
本発明は、従来の問題を解決するためになされたもので、従来より複雑なデザインを利用者に実現させることができる電子機器を提供することを目的とする。
【課題を解決するための手段】
【０００６】
本発明の電子機器は、本体と、互いの重畳の順序を変更可能に着脱自在に前記本体に重ねて取り付けられる複数枚の外装パネルとを備え、前記複数枚の外装パネルは、色及び模様の少なくとも一方が付加された部分である付加部分をそれぞれ有した第１の外装パネル及び第２の外装パネルを含み、前記第２の外装パネルは、前記第１の外装パネルより表層に自身が重ねられたときに前記第１の外装パネルの前記付加部分に重なる少なくとも一部が光透過性を有することによって、前記第１の外装パネルの前記付加部分の少なくとも一部が透過するよう構成した構成を有している。
【０００７】
この構成により、本発明の電子機器は、複数枚の外装パネルのデザインの相互作用によってデザインが実現されるので、従来より複雑なデザインを利用者に実現させることができる。更に、本発明の電子機器は、複数枚の外装パネルの重畳の順序の変更によって、複数種類のデザインを利用者に実現させることができる。
【０００８】
また、本発明の電子機器は、前記複数枚の外装パネルのそれぞれは、前記複数枚の外装パネルを前記本体に固定するネジが挿入される貫通孔と、前記複数枚の外装パネルの最表層に自身が重ねられたときに前記ネジの頭が収納される収納溝とが形成された構成を有している。
【０００９】
この構成により、本発明の電子機器は、複数枚の外装パネルの何れが最表層になった場合であっても、最表層の外装パネルからネジの頭が突出しないデザインを利用者に実現させることができる。
【発明の効果】
【００１０】
本発明は、従来より複雑なデザインを利用者に実現させることができる電子機器を提供することができるものである。
【発明を実施するための最良の形態】
【００１１】
以下、本発明の実施の形態について、図面を用いて説明する。
【００１２】
（第１の実施の形態）
まず、第１の実施の形態に係る電子機器の構成について説明する。
【００１３】
図１から図３までに示すように、本実施の形態に係る電子機器としての折畳式携帯電話機１０は、本体２０と、互いの重畳の順序を変更可能に着脱自在に本体２０に重ねて取り付けられた第１の外装パネルとしての外装パネル３０及び第２の外装パネルとしての外装パネル４０と、外装パネル３０及び外装パネル４０を本体２０に固定する４本のネジ５０とを備えている。
【００１４】
ここで、本体２０は、軸２０ａを中心に開閉可能に連結された筐体２１及び筐体２２を有している。筐体２１は、本体２０が閉まっているときの筐体２２側に、利用者による種々の操作を受け付ける図示していない操作釦と、図示していない送話部とが設けられている。また、筐体２２は、本体２０が閉まっているときの筐体２１側に、種々の情報を表示する図示していないメイン液晶表示部と、図示していない受話部とが設けられており、本体２０が閉まっているときの筐体２１側とは反対側、即ち、外装パネル３０及び外装パネル４０が取り付けられる側に、種々の情報を表示するサブ液晶表示部２２ａと、ネジ５０と螺合する４つの雌ネジ部２２ｂとが設けられている。
【００１５】
また、外装パネル３０は、ネジ５０が挿入される４つの貫通孔３１が形成されている。更に、外装パネル３０は、外装パネル４０より表層に自身が重ねられたときにネジ５０の頭５１が収納される収納溝３２が貫通孔３１内に形成されている。
【００１６】
同様に、外装パネル４０は、ネジ５０が挿入される４つの貫通孔４１が形成されている。更に、外装パネル４０は、外装パネル４０より表層に自身が重ねられたときにネジ５０の頭５１が収納される収納溝４２が貫通孔４１内に形成されている。なお、外装パネル４０の厚みは、外装パネル３０の厚みと異なっていても良い。
【００１７】
ここで、塗装等によって色で形成された絵模様が付加された部分である付加部分３３（図４（ａ）参照。）を外装パネル３０が有しており、塗装等によって色で形成された絵模様が付加された部分である付加部分４３（図４（ｂ）参照。）を外装パネル４０が有しており、外装パネル４０が付加部分４３以外の部分で光透過性を有しており、外装パネル３０の表層に外装パネル４０が重ねられた場合、折畳式携帯電話機１０は、外装パネル３０及び外装パネル４０のデザインの相互作用によって図４（ｃ）に示すデザインが実現される。即ち、図４（ｃ）に示すデザインは、外装パネル４０の付加部分４３以外の部分を透過して外表面に表れた外装パネル３０の付加部分３３の絵模様と、外装パネル３０の表層に重ねられた外装パネル４０の付加部分４３の絵模様とが組み合わさって実現される。なお、図４（ｃ）に示すデザインは、外装パネル３０が光透過性を有していなくても実現される。
【００１８】
図４（ｃ）に示すデザインが実現されていた折畳式携帯電話機１０は、外装パネル３０が付加部分３３以外の部分で光透過性を有している場合、外装パネル３０及び外装パネル４０の重畳の順序が変更されると、外装パネル３０及び外装パネル４０のデザインの相互作用によって図５に示すデザインが実現される。即ち、図５に示すデザインは、外装パネル３０の付加部分３３以外の部分を透過して外表面に表れた外装パネル４０の付加部分４３の絵模様と、外装パネル４０の表層に重ねられた外装パネル３０の付加部分３３の絵模様とが組み合わさって実現される。このように、折畳式携帯電話機１０は、外装パネル３０及び外装パネル４０の重畳の順序の変更によって、２種類のデザインを利用者に実現させることができる。なお、図５において、外装パネル３０は、第２の外装パネルを構成しており、外装パネル４０は、第１の外装パネルを構成している。
【００１９】
また、図４（ｃ）に示すデザインが実現されていた折畳式携帯電話機１０は、塗装等によって色で形成された絵模様が付加された部分である付加部分６３（図６（ａ）参照。）を除いて外装パネル３０と同様な構成を有した外装パネル６０（図６（ａ）参照。）が外装パネル３０と交換されると、外装パネル６０及び外装パネル４０のデザインの相互作用によって図６（ｂ）に示すデザインが実現される。即ち、図６（ｂ）に示すデザインは、外装パネル４０の付加部分４３以外の部分を透過して外表面に表れた外装パネル６０の付加部分６３の絵模様と、外装パネル６０の表層に重ねられた外装パネル４０の付加部分４３の絵模様とが組み合わさって実現される。このように、折畳式携帯電話機１０は、２枚の外装パネルのうち１枚が交換されるだけでデザインが変更される。なお、図６（ｂ）において、外装パネル６０は、第１の外装パネルを構成している。
【００２０】
以上に説明したように、折畳式携帯電話機１０は、外装パネル３０及び外装パネル４０のデザインの相互作用によってデザインが実現されるので、従来より複雑なデザインを利用者に実現させることができる。
【００２１】
また、折畳式携帯電話機１０は、外装パネル３０、４０にそれぞれ収納溝３２、４２が形成されているので、外装パネル３０及び外装パネル４０の何れが最表層になった場合であっても、最表層の外装パネルからネジ５０の頭５１が突出しないデザインを利用者に実現させることができる。
【００２２】
なお、折畳式携帯電話機１０は、外装パネル３０及び外装パネル４０という２枚の外装パネルの相互作用によってデザインが実現されているが、３枚以上の外装パネルの相互作用によってデザインが実現されていても良い。例えば、折畳式携帯電話機１０は、外装パネル３０及び外装パネル４０に加えて３枚目の外装パネルが取り付けられるようになっていても良い。折畳式携帯電話機１０は、外装パネル３０及び外装パネル４０に加えて３枚目の外装パネルが取り付けられるようになっている場合、ネジ５０より長いネジがネジ５０に代えて用いられれば良い。
【００２３】
また、折畳式携帯電話機１０の外装パネルの形状や素材としては、種々のものが採用され得る。例えば、ネジ５０が挿入される貫通孔とは異なる穴が複数の外装パネルの１枚だけに形成されていても良いし、複数の外装パネルのそれぞれの素材が異なっていても良い。
【００２４】
また、外装パネル３０、４０、６０は、図４（ａ）、図４（ｂ）、図６（ａ）に示す絵模様以外の絵模様が付加されていても良い。例えば、外装パネル３０、４０、６０は、色で形成された絵模様としてロゴ（文字）が付加されていても良い。
【００２５】
（第２の実施の形態）
色ではなく凹みによって形成された線模様が付加された部分である付加部分３４（図７（ａ）参照。）を外装パネル３０が有しており、色ではなく凹みによって形成された線模様が付加された部分である付加部分４４（図７（ｂ）参照。）を外装パネル４０が有しており、外装パネル４０が全ての部分で光透過性を有しており、外装パネル３０の表層に外装パネル４０が重ねられた場合、折畳式携帯電話機１０は、外装パネル３０及び外装パネル４０のデザインの相互作用によって図７（ｃ）に示すデザインが実現される。即ち、図７（ｃ）に示すデザインは、外装パネル４０を透過して外表面に表れた外装パネル３０の付加部分３４の線模様と、外装パネル３０の表層に重ねられた外装パネル４０の付加部分４４の線模様とが組み合わさって実現される。
【００２６】
なお、外装パネル３０、４０は、図７（ａ）、図７（ｂ）に示す線模様以外の模様が付加されていても良い。例えば、外装パネル３０、４０は、色ではなく凹み等によって形成された模様として複雑な絵やロゴ（文字）が付加されていても良い。
【００２７】
（第３の実施の形態）
単一の色が付加された部分である付加部分３５（図８（ａ）参照。）を外装パネル３０が有しており、付加部分３５の色とは異なる単一の色が付加された部分である付加部分４５（図８（ｂ）参照。）を外装パネル４０が有しており、外装パネル４０が全ての部分で光透過性を有しており、外装パネル３０の表層に外装パネル４０が重ねられた場合、折畳式携帯電話機１０は、外装パネル３０及び外装パネル４０のデザインの相互作用によって図８（ｃ）に示すデザイン、即ち、付加部分３５の色と、付加部分４５の色とが重なって生じた新たな色のデザインが実現される。
【産業上の利用可能性】
【００２８】
以上のように、本発明に係る電子機器は、従来より複雑なデザインを利用者に実現させることができるという効果を有し、携帯電話機等として有用である。
【図面の簡単な説明】
【００２９】
【図１】本発明の第１の実施の形態に係る折畳式携帯電話機の展開図
【図２】図１に示す折畳式携帯電話機の外観斜視図
【図３】図１に示す折畳式携帯電話機の一部の側面図
【図４】（ａ）図１に示す折畳式携帯電話機の外装パネルのデザインの一例を示す図  （ｂ）図１に示す折畳式携帯電話機の図４（ａ）に示す外装パネル以外の外装パネルのデザインの一例を示す図  （ｃ）図４（ａ）に示す外装パネルの表層に図４（ｂ）に示す外装パネルが重ねて取り付けられたときの図１に示す折畳式携帯電話機の上面図
【図５】図４（ｂ）に示す外装パネルの表層に図４（ａ）に示す外装パネルが重ねて取り付けられたときの図１に示す折畳式携帯電話機の上面図
【図６】（ａ）図１に示す折畳式携帯電話機の図４（ａ）に示す外装パネル及び図４（ｂ）に示す外装パネル以外の外装パネルのデザインの一例を示す図  （ｂ）図６（ａ）に示す外装パネルの表層に図４（ｂ）に示す外装パネルが重ねて取り付けられたときの図１に示す折畳式携帯電話機の上面図
【図７】（ａ）本発明の第２の実施の形態に係る折畳式携帯電話機の外装パネルのデザインの一例を示す図  （ｂ）本発明の第２の実施の形態に係る折畳式携帯電話機の図７（ａ）に示す外装パネル以外の外装パネルのデザインの一例を示す図  （ｃ）図７（ａ）に示す外装パネルの表層に図７（ｂ）に示す外装パネルが重ねて取り付けられたときの本発明の第２の実施の形態に係る折畳式携帯電話機の上面図
【図８】（ａ）本発明の第３の実施の形態に係る折畳式携帯電話機の外装パネルのデザインの一例を示す図  （ｂ）本発明の第３の実施の形態に係る折畳式携帯電話機の図８（ａ）に示す外装パネル以外の外装パネルのデザインの一例を示す図  （ｃ）図８（ａ）に示す外装パネルの表層に図８（ｂ）に示す外装パネルが重ねて取り付けられたときの本発明の第３の実施の形態に係る折畳式携帯電話機の上面図
【符号の説明】
【００３０】
１０  折畳式携帯電話機（電子機器）
２０  本体
３０  外装パネル（第１の外装パネル、第２の外装パネル）
３１  貫通孔
３２  収納溝
３３、３４、３５  付加部分
４０  外装パネル（第１の外装パネル、第２の外装パネル）
４１  貫通孔
４２  収納溝
４３、４４、４５  付加部分
５０  ネジ
５１  頭
６０  外装パネル（第１の外装パネル）
６３  付加部分
【図１】
2006191439.tif 000003
【図２】
2006191439.tif 000004
【図３】
2006191439.tif 000005
【図４】
2006191439.tif 000006
【図５】
2006191439.tif 000007
【図６】
2006191439.tif 000008
【図７】
2006191439.tif 000009
【図８】
2006191439.tif 000010